(57)【特許請求の範囲】
【請求項１】
セル内に複数のアンテナが分散されて配置され、前記複数のアンテナが基地局により制御される分散アンテナシステムにおけるユーザ機器（ＵＥ）のフィードバック情報を送信する方法であって、
前記方法は、
第１のフィードバック情報を前記複数のアンテナに送信することであって、前記第１のフィードバック情報は、前記基地局（ＢＳ）がＵＥに前記複数のアンテナのうち少なくとも一つのアンテナを割り当てるために使用される、ことと、
前記ＢＳから前記第１のフィードバック情報に基づいて決定されたアンテナ割当情報を受信することと、
前記アンテナ割当情報により割り当てられたアンテナに対するチャネル状態を示す第２のフィードバック情報を前記ＢＳに送信することと
を含み、
前記第１のフィードバック情報は、サウンディング参照信号（ＳＲＳ）と前記ＳＲＳの送信電力を示す電力情報とを含み、
前記複数のアンテナのうち前記少なくとも一つのアンテナは、前記ＳＲＳ及び前記電力情報に基づいて選択される、方法。
【請求項２】
前記ＢＳからサウンディング参照信号送信要求を受信することをさらに含む、請求項１に記載の方法。
【請求項３】
前記第２のフィードバック情報は、前記割り当てられたアンテナに対するＣＱＩ（ｃｈａｎｎｅｌ  ｑｕａｌｉｔｙ  ｉｎｄｉｃａｔｏｒ）及びＰＭＩ（ｐｒｅｃｏｄｉｎｇ  ｍａｔｒｉｘ  ｉｎｄｅｘ）のうち少なくとも一つを含む、請求項１に記載の方法。
【請求項４】
前記第１のフィードバック情報は、第１のフィードバック情報送信周期に送信され、前記第２のフィードバック情報は、第２のフィードバック情報送信周期に送信され、前記第１のフィードバック情報送信周期は、前記第２のフィードバック情報送信周期よりも長い、請求項１に記載の方法。
【請求項５】
前記第１のフィードバック情報は、第１のフィードバック情報送信周期に送信され、前記第２のフィードバック情報は、第２のフィードバック情報送信周期に送信され、前記第１のフィードバック情報送信周期と前記第２のフィードバック情報送信周期は、同じである、請求項１に記載の方法。
【請求項６】
前記第１のフィードバック情報と前記第２のフィードバック情報は、同じサブフレームで送信される、請求項５に記載の方法。
【請求項７】
前記第２のフィードバック情報は、前記第１のフィードバック情報が送信されるサブフレームから固定された個数のサブフレーム以後に送信される、請求項５に記載の方法。
【請求項８】
前記アンテナ割当情報は、前記ＵＥに割り当てられた物理的アンテナ、アンテナノード、アンテナグループ、アンテナポート、及び仮想アンテナのうち少なくとも一つに対する割当情報を含む、請求項１に記載の方法。
【請求項９】
無線信号を送受信するように構成されたＲＦ部と、
前記ＲＦ部に連結されるプロセッサと
を含むユーザ機器（ＵＥ）であって、
前記プロセッサは、
第１のフィードバック情報を複数のアンテナに送信することであって、前記第１のフィードバック情報は、基地局が前記ＵＥに前記複数のアンテナのうち少なくとも一つのアンテナを割り当てるために使用される、ことと、
前記基地局から前記第１のフィードバック情報に基づいて決定されたアンテナ割当情報を受信することと、
前記アンテナ割当情報により割り当てられたアンテナに対するチャネル状態を示す第２のフィードバック情報を前記基地局に送信することと
を実行し、
前記第１のフィードバック情報は、サウンディング参照信号（ＳＲＳ）と前記ＳＲＳの送信電力を示す電力情報とを含み、
前記複数のアンテナのうち前記少なくとも一つのアンテナは、前記ＳＲＳ及び前記電力情報に基づいて選択される、ＵＥ。
【発明の詳細な説明】
【技術分野】
【０００１】
本発明は、無線通信に関し、より詳しくは、分散アンテナシステムにおいて端末により実行されるフィードバック情報送信方法及びその方法を用いる端末に関する。
【背景技術】
【０００２】
分散アンテナシステム（ｄｉｓｔｒｉｂｕｔｅｄ  ａｎｔｅｎｎａ  ｓｙｓｔｅｍ；ＤＡＳ）は、アンテナがセル（ｃｅｌｌ）内の多様な位置に分散されて配置され、このようなアンテナを単一基地局が管理するシステムを意味する。分散アンテナシステムは、基地局のアンテナがセル中央に集中されて配置される従来集中アンテナシステム（Ｃｅｎｔｒａｌｉｚｅｄ  ａｎｔｅｎｎａ  ｓｙｓｔｅｍ；ＣＡＳ）と相違する。
【０００３】
分散アンテナシステムは、フェムトセル／ピコセル（ｆｅｍｔｏ  ｃｅｌｌ／ｐｉｃｏ  ｃｅｌｌ）、中継局、アドホック（ａｄ−ｈｏｃ）システムと区別される。分散アンテナシステムは、個別アンテナがそのアンテナの領域を自体的に管轄するものではなく、中央の基地局で全てのアンテナの領域を管轄するという点で個別アンテナが別個のネットワークを構成するフェムトセル／ピコセルと異なる。分散アンテナシステムは、各アンテナが有線で連結されることができるという点で中継局またはアドホックシステム（ａｄ−ｈｏｃ  ｓｙｓｔｅｍ）とも区別される。また、分散アンテナシステムにおける各アンテナは、基地局の命令によって互いに異なる信号を送ることができるという点で単純なリピータ（ｒｅｐｅａｔｅｒ）とも区別される。
【０００４】
初期の分散アンテナシステムの用途は、陰影地域をカバーするためにセル内にアンテナをさらに設置して信号を繰り返して（ｒｅｐｅｔｉｔｉｏｎ）送信することであった。即ち、初期分散アンテナシステムは、カバレッジ（ｃｏｖｅｒａｇｅ）確保が主な目的であった。巨視的にみる時、分散アンテナシステムは、アンテナが同時に複数のデータストリーム（ｄａｔａ  ｓｔｒｅａｍ）を送信したり受信し、一名又は多数のユーザをサポートすることができるという点で一種の多重入／出力（ｍｕｌｔｉｐｌｅ  ｉｎｐｕｔ  ｍｕｌｔｉｐｌｅ  ｏｕｔｐｕｔ；ＭＩＭＯ）システムとみることができる。ＭＩＭＯシステムは、高いスペクトラム効率（ｓｐｅｃｔｒａｌ  ｅｆｆｉｃｉｅｎｃｙ）のため次世代通信の要求事項を満たすことができるシステムであると認識されている。ＭＩＭＯシステムの観点で、分散アンテナシステムは、集中アンテナシステムより長所が多い。例えば、ユーザとアンテナとの間の距離が減ることによって電力効率が高く、低いアンテナ間の相関度及び干渉のためチャネル容量が高く、セル内のユーザの位置と関係なしに相対的に均一な品質の通信が確保されるなどの長所がある。
【０００５】
即ち、前述した長所を有する分散アンテナシステムは、現在と未来の通信規格で要求する高いデータ容量を確保するために、ＭＩＭＯ送信を実行することが必要である。例えば、同じ周波数領域で単一端末（ｕｓｅｒ  ｅｑｕｉｐｍｅｎｔ；ＵＥ）にランク（ｒａｎｋ）２以上を送信することが必要である（これを単一ユーザＭＩＭＯ（ｓｉｎｇｌｅ  ｕｓｅｒ  ＭＩＭＯ；ＳＵ−ＭＩＭＯ）送信という）。または、複数の端末を同時にサポートする多重ユーザＭＩＭＯ（ｍｕｌｔｉ  ｕｓｅｒ  ＭＩＭＯ；ＭＵ−ＭＩＭＯ）送信が必要である。このような必要性は、ダウンリンク（ｄｏｗｎｌｉｎｋ）だけでなく、アップリンク（ｕｐｌｉｎｋ）でも要求されることができる。
【０００６】
前述したＳＵ−ＭＩＭＯ及びＭＵ−ＭＩＭＯ通信は、標準化団体であるＩＥＥＥ８０２と３ＧＰＰ  ＬＴＥで必須的に考慮しており、実際ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅ／ｍ、３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）リリース（Ｒｅｌｅａｓｅ）８／９などの標準で扱っている。然しながら、現在の通信標準は、集中アンテナシステムを前提にデザインされているため、ＭＩＭＯ技術のような改善された（ａｄｖａｎｃｅｄ）技術が適用された分散アンテナシステムにそのまま適用することは難しい現実である。従って、分散アンテナシステムをサポートする通信標準が必要であり、このような通信標準に提供されることができる端末のフィードバック情報送信方法及びその方法によって動作する端末が必要である。
【発明の概要】
【発明が解決しようとする課題】
【０００７】
分散アンテナシステムにおける端末のフィードバック情報送信方法及びその方法を用いる端末を提供することを目的にする。
【課題を解決するための手段】
【０００８】
本発明の一側面による端末のフィードバック情報送信方法は、基地局が端末に複数のアンテナのうち少なくとも一つのアンテナを割り当てる時に使用する第１のフィードバック情報を前記基地局に送信するステップ；前記基地局から前記第１のフィードバック情報に基づいて決定されたアンテナ割当情報を受信するステップ；及び、前記アンテナ割当情報により割り当てられたアンテナに対するチャネル状態を示す第２のフィードバック情報を前記基地局に送信するステップを含む。
【０００９】
前記第１のフィードバック情報は、前記基地局から前記端末への有効アンテナに対するダウンリンクチャネル係数情報、前記端末が測定した受信雑音強度、有効アンテナに対するダウンリンクチャネル大きさ又は信号強度、前記端末が選好するアンテナ又は特定閾値（ｔｈｒｅｓｈｏｌｄ  ｖａｌｕｅ）を超えるチャネル品質を有するアンテナのインデックス、サウンディング参照信号（ｓｏｕｎｄｉｎｇ  ｒｅｆｅｒｅｎｃｅ  ｓｉｇｎａｌ）と前記サウンディング参照信号に対する送信電力情報のうち少なくとも一つを含む。
【００１０】
前記有効アンテナは、前記端末が前記複数のアンテナの各々に対する参照信号を測定する場合、閾値を超える参照信号を送信するアンテナ又は前記複数のアンテナ全部である。
【００１１】
前記ダウンリンクチャネル係数情報、前記サウンディング参照信号（ｓｏｕｎｄｉｎｇ  ｒｅｆｅｒｅｎｃｅ  ｓｉｇｎａｌ）と前記サウンディング参照信号に対する送信電力情報、前記有効アンテナに対するダウンリンクチャネル大きさ又は信号強度は、前記端末が測定した受信雑音強度で正規化（ｎｏｒｍａｌｉｚａｔｉｏｎ）された値に送信される。
【００１２】
前記基地局からサウンディング参照信号送信要求を受信するステップをさらに含み、前記第１のフィードバック情報は、前記サウンディング参照信号とサウンディング参照信号に対する送信電力情報を含む。
【００１３】
前記基地局から前記複数のアンテナの各々に対して区分される参照信号を受信するステップをさらに含み、前記第１のフィードバック情報は、前記有効アンテナに対するダウンリンクチャネル係数情報、前記受信雑音強度、前記有効アンテナに対するダウンリンクチャネル大きさ又は信号強度、前記端末が選好するアンテナ又は特定閾値（ｔｈｒｅｓｈｏｌｄ  ｖａｌｕｅ）を超えるチャネル品質を有するアンテナのインデックスのうち少なくとも一つを含む。
【００１４】
前記第２のフィードバック情報は、前記割り当てられたアンテナに対するＣＱＩ（ｃｈａｎｎｅｌ  ｑｕａｌｉｔｙ  ｉｎｄｉｃａｔｏｒ）、ＰＭＩ（ｐｒｅｃｏｄｉｎｇ  ｍａｔｒｉｘ  ｉｎｄｅｘ）のうち少なくとも一つを含む。
【００１５】
前記第１のフィードバック情報は、第１のフィードバック情報送信周期に送信され、前記第２のフィードバック情報は、第２のフィードバック情報送信周期に送信され、前記第１のフィードバック情報送信周期は、前記第２のフィードバック情報送信周期に比べて長い。
【００１６】
前記第１のフィードバック情報は、第１のフィードバック情報送信周期に送信され、前記第２のフィードバック情報は、第２のフィードバック情報送信周期に送信され、前記第１のフィードバック情報送信周期と前記第２のフィードバック情報送信周期は、同じである。
【００１７】
前記第１のフィードバック情報と前記第２のフィードバック情報は、同じサブフレームで送信される。
【００１８】
前記第２のフィードバック情報は、前記第１のフィードバック情報が送信されるサブフレームから固定された個数のサブフレーム以後に送信される。
【００１９】
前記アンテナ割当情報は、前記端末に物理的アンテナ、アンテナノード、アンテナグループ、アンテナポート、及び仮想アンテナのうち少なくとも一つに対する割当情報を含む。
【００２０】
本発明の他の側面による端末は、無線信号を送受信するＲＦ部；及び、前記ＲＦ部に連結されるプロセッサ；を含み、前記プロセッサは、基地局が前記端末に前記複数のアンテナのうち少なくとも一つのアンテナを割り当てる時に使用する第１のフィードバック情報を前記基地局に送信し、前記基地局から前記第１のフィードバック情報に基づいて決定されたアンテナ割当情報を受信し、前記アンテナ割当情報により割り当てられたアンテナに対するチャネル状態を示す第２のフィードバック情報を前記基地局に送信することを特徴とする。
本明細書は、例えば、以下の項目も提供する。
（項目１）
セル内に複数のアンテナが分散されて配置される分散アンテナシステムにおける端末のフィードバック情報送信方法において、
基地局が端末に複数のアンテナのうち少なくとも一つのアンテナを割り当てる時に使用する第１のフィードバック情報を前記基地局に送信するステップ；
前記基地局から前記第１のフィードバック情報に基づいて決定されたアンテナ割当情報を受信するステップ；及び、
前記アンテナ割当情報により割り当てられたアンテナに対するチャネル状態を示す第２のフィードバック情報を前記基地局に送信するステップ；を含むことを特徴とする方法。
（項目２）
前記第１のフィードバック情報は、前記基地局から前記端末への有効アンテナに対するダウンリンクチャネル係数情報、前記端末が測定した受信雑音強度、有効アンテナに対するダウンリンクチャネル大きさ又は信号強度、前記端末が選好するアンテナ又は特定閾値（ｔｈｒｅｓｈｏｌｄ  ｖａｌｕｅ）を超えるチャネル品質を有するアンテナのインデックス、サウンディング参照信号（ｓｏｕｎｄｉｎｇ  ｒｅｆｅｒｅｎｃｅ  ｓｉｇｎａｌ）と前記サウンディング参照信号に対する送信電力情報のうち少なくとも一つを含むことを特徴とする項目１に記載の方法。
（項目３）
前記有効アンテナは、前記端末が前記複数のアンテナの各々に対する参照信号を測定する場合、閾値を超える参照信号を送信するアンテナ又は前記複数のアンテナ全部であることを特徴とする項目２に記載の方法。
（項目４）
前記ダウンリンクチャネル係数情報、前記サウンディング参照信号（ｓｏｕｎｄｉｎｇ
ｒｅｆｅｒｅｎｃｅ  ｓｉｇｎａｌ）と前記サウンディング参照信号に対する送信電力情報、前記有効アンテナに対するダウンリンクチャネル大きさ又は信号強度は、前記端末が測定した受信雑音強度で正規化（ｎｏｒｍａｌｉｚａｔｉｏｎ）された値に送信されることを特徴とする項目２に記載の方法。
（項目５）
前記基地局からサウンディング参照信号送信要求を受信するステップをさらに含み、前記第１のフィードバック情報は、前記サウンディング参照信号とサウンディング参照信号に対する送信電力情報を含むことを特徴とする項目２に記載の方法。
（項目６）
前記基地局から前記複数のアンテナの各々に対して区分される参照信号を受信するステップをさらに含み、前記第１のフィードバック情報は、前記有効アンテナに対するダウンリンクチャネル係数情報、前記受信雑音強度、前記有効アンテナに対するダウンリンクチャネル大きさ又は信号強度、前記端末が選好するアンテナ又は特定閾値（ｔｈｒｅｓｈｏｌｄ  ｖａｌｕｅ）を超えるチャネル品質を有するアンテナのインデックスのうち少なくとも一つを含むことを特徴とする項目２に記載の方法。
（項目７）
前記第２のフィードバック情報は、前記割り当てられたアンテナに対するＣＱＩ（ｃｈａｎｎｅｌ  ｑｕａｌｉｔｙ  ｉｎｄｉｃａｔｏｒ）、ＰＭＩ（ｐｒｅｃｏｄｉｎｇ  ｍａｔｒｉｘ  ｉｎｄｅｘ）のうち少なくとも一つを含むことを特徴とする項目１に記載の方法。
（項目８）
前記第１のフィードバック情報は、第１のフィードバック情報送信周期に送信され、前記第２のフィードバック情報は、第２のフィードバック情報送信周期に送信され、前記第１のフィードバック情報送信周期は、前記第２のフィードバック情報送信周期に比べて長いことを特徴とする項目１に記載の方法。
（項目９）
前記第１のフィードバック情報は、第１のフィードバック情報送信周期に送信され、前記第２のフィードバック情報は、第２のフィードバック情報送信周期に送信され、前記第１のフィードバック情報送信周期と前記第２のフィードバック情報送信周期は、同じであることを特徴とする項目１に記載の方法。
（項目１０）
前記第１のフィードバック情報と前記第２のフィードバック情報は、同じサブフレームで送信されることを特徴とする項目９に記載の方法。
（項目１１）
前記第２のフィードバック情報は、前記第１のフィードバック情報が送信されるサブフレームから固定された個数のサブフレーム以後に送信されることを特徴とする項目９に記載の方法。
（項目１２）
前記アンテナ割当情報は、前記端末に物理的アンテナ、アンテナノード、アンテナグループ、アンテナポート、及び仮想アンテナのうち少なくとも一つに対する割当情報を含むことを特徴とする項目１に記載の方法。
（項目１３）
無線信号を送受信するＲＦ部；及び、
前記ＲＦ部に連結されるプロセッサ；を含み、
前記プロセッサは、
基地局が前記端末に前記複数のアンテナのうち少なくとも一つのアンテナを割り当てる時に使用する第１のフィードバック情報を前記基地局に送信し、前記基地局から前記第１のフィードバック情報に基づいて決定されたアンテナ割当情報を受信し、前記アンテナ割当情報により割り当てられたアンテナに対するチャネル状態を示す第２のフィードバック情報を前記基地局に送信することを特徴とする端末。
【発明の効果】
【００２１】
本発明によると、分散アンテナシステムを運用するためのフィードバック方法が提供される。端末は、分散アンテナシステムにおいて、セル内に分散されて配置された複数のアンテナのうち最適のアンテナの割当を受けて基地局と通信することができる。従って、分散アンテナシステムにおいて、端末と基地局との間の送信効率が改善される。また、端末に対するアンテナ割当のために追加されるフィードバック情報にもかかわらずフィードバックオーバーヘッドの増加が大きくない。
【図面の簡単な説明】
【００２２】
【図１】無線通信システムを示すブロック図である。
【図２】分散アンテナシステムを例示する。
【図３】フィードバック情報送信方法を示すフローチャートである。
【図４】図３で説明したフィードバック情報送信方法の具体的な例を示す順序図である。
【図５】図３で説明したフィードバック情報送信方法の具体的な他の例を示す順序図である。
【図６】第１のフィードバック情報の送信周期及び第２のフィードバック情報の送信周期の一例を示す。
【図７】第１のフィードバック情報の送信周期及び第２のフィードバック情報の送信周期の他の例を示す。
【図８】基地局及び端末を示すブロック図である。
【発明を実施するための形態】
【００２３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な多重接続方式（ｍｕｌｔｉｐｌｅ  ａｃｃｅｓｓ  ｓｃｈｅｍｅ）に使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、ＬＴＥの進化である。  
【００２４】
図１は、無線通信システムを示すブロック図である。
【００２５】
図１を参照すると、無線通信システム１０は、少なくとも一つの基地局（ｂａｓｅ  ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられることができる。端末（ｕｓｅｒ  ｅｑｕｉｐｍｅｎｔ；ＵＥ）１２は、固定されたり移動性を有することができ、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。
【００２６】
以下、ダウンリンク（ｄｏｗｎｌｉｎｋ；ＤＬ）は、基地局から端末への通信リンクを意味し、アップリンク（ｕｐｌｉｎｋ；ＵＬ）は、端末から基地局への通信リンクを意味する。ダウンリンクで、送信機は基地局の一部分であり、受信機は端末の一部分である。アップリンクで、送信機は端末の一部分であり、受信機は基地局の一部分である。
【００２７】
無線通信システムは、多重アンテナをサポートすることができる。即ち、送信機は複数の送信アンテナ（ｔｒａｎｓｍｉｔ  ａｎｔｅｎｎａ）を使用し、受信機は複数の受信アンテナ（ｒｅｃｅｉｖｅ  ａｎｔｅｎｎａ）を使用することができる。送信アンテナは、一つの信号またはストリーム（ｓｔｒｅａｍ）の送信に使われる物理的または論理的アンテナを意味し、受信アンテナは、一つの信号またはストリームの受信に使われる物理的または論理的アンテナを意味する。送信機及び受信機が複数のアンテナを使用すると、無線通信システムは、ＭＩＭＯ（ｍｕｌｔｉｐｌｅ  ｉｎｐｕｔ  ｍｕｌｔｉｐｌｅ  ｏｕｔｐｕｔ）システムと呼ばれることもある。
【００２８】
ＭＩＭＯシステムには多様な送信技法が使われることができる。送信技法は、基地局が端末にダウンリンクデータを送信する技法を意味する。ＭＩＭＯ送信技法には、送信ダイバーシティ（ｔｒａｎｓｍｉｔ  ｄｉｖｅｒｓｉｔｙ）、空間多重化（ｓｐａｔｉａｌ  ｍｕｌｔｉｐｌｅｘｉｎｇ）、及びビーム形成（ｂｅａｍｆｏｒｍｉｎｇ）などがある。送信ダイバーシティは、多重送信アンテナで同じデータを送信して送信信頼度を高める技術である。空間多重化は、多重送信アンテナで互いに異なるデータを同時に送信することで、システムの帯域幅を増加させずに高速のデータを送信することができる技術である。ビーム形成は、多重アンテナでチャネル状態による加重値を加えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させるために使われる。この時、加重値は、加重値ベクトル（ｗｅｉｇｈｔ  ｖｅｃｔｏｒ）または加重値行列（ｗｅｉｇｈｔ  ｍａｔｒｉｘ）で表示されることができ、これをプリコーディングベクトル（ｐｒｅｃｏｄｉｎｇ  ｖｅｃｔｏｒ）またはプリコーディング行列（ｐｒｅｃｏｄｉｎｇ  ｍａｔｒｉｘ）という。
【００２９】
空間多重化は、単一ユーザに対する空間多重化と多重ユーザに対する空間多重化がある。単一ユーザに対する空間多重化は、ＳＵ−ＭＩＭＯ（Ｓｉｎｇｌｅ  Ｕｓｅｒ  ＭＩＭＯ）とも呼ばれ、多重ユーザに対する空間多重化は、ＳＤＭＡ（Ｓｐａｔｉａｌ  Ｄｉｖｉｓｉｏｎ  Ｍｕｌｔｉｐｌｅ  Ａｃｃｅｓｓ）或いはＭＵ−ＭＩＭＯ（Ｍｕｌｔｉ  Ｕｓｅｒ  ＭＩＭＯ）とも呼ばれる。
【００３０】
ＭＩＭＯ送信技法は、ＲＲＣ（ｒａｄｉｏ  ｒｅｓｏｕｒｃｅ  ｃｏｎｔｒｏｌ）メッセージのような上位階層（ｈｉｇｈｅｒ  ｌａｙｅｒ）信号により半静的に（ｓｅｍｉ−ｓｔａｔｉｃａｌｌｙ）設定されることができる。
【００３１】
図２は、分散アンテナシステムを例示する。
【００３２】
図２を参照すると、分散アンテナシステム（ｄｉｓｔｒｉｂｕｔｅｄ  ａｎｔｅｎｎａ  ｓｙｓｔｅｍ；ＤＡＳ）は、基地局（ＢＳ）と複数の基地局アンテナ（例えば、ａｎｔ１〜ａｎｔ８；以下、基地局アンテナをアンテナと呼ぶ）で構成されるこ。アンテナ（ａｎｔ１〜ａｎｔ８）は、基地局（ＢＳ）と有線または無線に連結されることができる。分散アンテナシステムは、従来の集中アンテナシステム（ｃｅｎｔｒａｌｉｚｅｄ  ａｎｔｅｎｎａｌ  ｓｙｓｔｅｍ；ＣＡＳ）と違って、アンテナがセル（１５ａ）の特定地点、例えば、セルの中央に集中されておらずにセル内の多様な位置に分散されて配置される。図２では、アンテナがセル内の離隔された各場所に一つのアンテナが存在する例を示しているが、これに制限されるものではなく、セル内の離隔された各場所に複数個のアンテナが密集されて存在する形態に分布することもできる。密集されて存在するアンテナは、一つのアンテナノード（ａｎｔｅｎｎａ  ｎｏｄｅ）を構成することができる。
【００３３】
アンテナは、アンテナカバレッジ（ｃｏｖｅｒａｇｅ）がオーバーラップ（ｏｖｅｒｌａｐ）されてランク（ｒａｎｋ）２以上の送信が可能に分布されることができる。即ち、各アンテナのアンテナカバレッジが隣接した少なくとも一つのアンテナまで及ぼすことができる。この場合、セル内に存在する端末は、セル内の位置、チャネル状態などによって複数のアンテナから受信する信号の強度が多様に変更されることができる。
【００３４】
図２の例を参照すると、端末１（ＵＥ  １）は、アンテナ１、２、５、６から受信感度の良い信号を受信することができる。反面、アンテナ３、４、７、８から送信される信号は、経路損失（ｐａｔｈ  ｌｏｓｓ）により端末１に及ぼす影響が極めて少ない。端末２（ＵＥ  ２）は、アンテナ６、７から受信感度の良い信号を受信することができ、残りのアンテナから送信される信号は、その影響が極めて少ない。同様に、端末３（ＵＥ  ３）の場合、アンテナ３からのみ受信感度の良い信号を受信することができ、残りのアンテナの信号は無視できるほど強度が弱い。
【００３５】
前記例で説明したように、分散アンテナシステムではセル内で相互間に離隔された端末に対してＭＵ−ＭＩＭＯ通信を実行することが容易である。即ち、前記例で、端末１にはアンテナ１、２、５、６を介して通信を実行し、端末２にはアンテナ７、端末３にはアンテナ３を介して通信を実行することができる。アンテナ４、８は、端末２または端末３のための信号を送信してもよく、何らの信号を送信しなくてもよい。即ち、アンテナ４、８は、場合によってオフ状態に運用することもできる。また、端末１、２、３に対する送信ランク（ｒａｎｋ）の数または送信レイヤ（ｌａｙｅｒ；即ち、送信ストリームの数）の数は各々異なる。例えば、端末が２個の受信アンテナを有する場合、端末１にはランク２の送信を実行することができ、端末２、３にはランク１の送信を実行することができる。
【００３６】
前述したように、分散アンテナシステムでＳＵ−ＭＩＭＯ／ＭＵ−ＭＩＭＯ通信を実行する場合、各端末当たり送信レイヤが多様に存在することができ、各端末に割り当てられるアンテナ（または、アンテナグループ）が互いに異なることもある。即ち、分散アンテナシステムでは各端末に対して特定アンテナ（または、特定アンテナグループ）をサポートすることができる。端末にサポートするアンテナは、時間によって変更されることができる。
【００３７】
以下、分散アンテナシステムで適用することができる端末のフィードバック情報送信方法に対して説明する。
【００３８】
図３は、フィードバック情報送信方法を示すフローチャートである。
【００３９】
図３を参照すると、基地局は、各端末から第１のフィードバック情報を受信した後、第１のフィードバック情報に基づいて各端末に対するアンテナを割り当てる（Ｓ１００）。即ち、第１のフィードバック情報は、基地局が端末にアンテナを割り当てる時に使用する情報であり、端末が基地局に送信する情報である。基地局は、第１のフィードバック情報を介して基地局と端末との間のチャネルに対するチャネル係数、端末の受信雑音強度（ｒｅｃｅｐｔｉｏｎ  ｎｏｉｓｅ  ｓｔｒｅｎｇｔｈ）を知ることができる。ここで、基地局が端末に割り当てるアンテナは、物理的アンテナのみを意味するものではない。即ち、第１のフィードバック情報を使用し、基地局は、端末にアンテナノード、アンテナグループ、アンテナポート（ａｎｔｅｎｎａ  ｐｏｒｔ）、及び仮想アンテナ（ｖｉｒｔｕａｌ  ａｎｔｅｎｎａ）を割り当てることもできる。アンテナノードは、基地局が第１のフィードバック情報を受信するために同じ参照信号を送信するアンテナの集合であると定義されることができ、地理的に隣接したアンテナで構成されることができる。アンテナグループは、複数のアンテナで構成されることができ、アンテナノードとは違って基地局が第１のフィードバック情報を受信するために同じ参照信号を送信するアンテナに制限されない。アンテナポートは、端末立場で一つのチャネルを推定することができるアンテナを意味する。アンテナポートは、一つの物理的アンテナで構成されることもでき、複数の物理的アンテナ要素の組合せで構成されることもできる。仮想アンテナは、基地局が信号を送信する物理的アンテナと異なる個数のアンテナであり、端末が認識するアンテナを意味する。仮想アンテナは、基地局が適切なプリコーディング行列を適用して具現することができる。
【００４０】
基地局は、基地局と端末との間のチャネルに対するチャネル係数、端末の受信雑音強度（ｒｅｃｅｐｔｉｏｎ  ｎｏｉｓｅ  ｓｔｒｅｎｇｔｈ）を知る場合、送信技法によって前述した物理的アンテナ、アンテナノード、アンテナグループ、アンテナポート、及び仮想アンテナのうち少なくとも一つの方式にアンテナを割り当てることができる。
【００４１】
端末が基地局に第１のフィードバック情報を送信することは、持続的割当（ｐｅｒｓｉｓｔｅｎｔ  ａｌｌｏｃａｔｉｏｎ）方式に実行されることができる。持続的割当は、基地局の一回的指示により持続的且つ周期的に端末が第１のフィードバック情報を送信することを意味する。
【００４２】
反面、基地局が端末にアンテナを割り当てることは、周期的割当又はイベントドリブン（ｅｖｅｎｔ  ｄｒｉｖｅｎ）方式によることができる。イベントドリブン方式は、基地局が端末に既に割り当てられたアンテナを変更する場合にのみアンテナ割当情報を送信する方式を意味する。
【００４３】
端末が送信する第１のフィードバック情報は、下記の１〜５のうち少なくとも一つを含むことができる。
【００４４】
１．ダウンリンクチャネル係数情報
【００４５】
２．端末が測定した受信雑音強度
【００４６】
３．有効アンテナに対するダウンリンクチャネル大きさ又は信号強度
【００４７】
４．端末が選好するアンテナのインデックス又は特定閾値（ｔｈｒｅｓｈｏｌｄ  ｖａｌｕｅ）を超えるチャネル品質を有するアンテナインデックス
【００４８】
５．アップリンクサウンディング参照信号（ｕｐｌｉｎｋ  ｓｏｕｎｄｉｎｇ  ｒｅｆｅｒｅｎｃｅ  ｓｉｇｎａｌ；以下、ＳＲＳという）のみを送信したり、ＳＲＳと共にＳＲＳに対する送信電力情報を送信
【００４９】
前述したように、基地局は、第１のフィードバック情報を介して各端末に対するチャネル係数と受信雑音強度を知ることができる。例えば、端末が第１のフィードバック情報として、前記１．ダウンリンクチャネル係数情報、及び２．端末が測定した受信雑音強度を送信する場合を仮定する。端末の受信アンテナで受信する受信信号ベクトルをｙとすると、以下の式のように表現することができる。
【００５０】
【数１】
0005593436.tif 000002
【００５１】
前記式で、ＮＲは、端末の受信アンテナの個数であり、チャネル行列Ｈのチャネル係数（要素）ｈｉｊは、セル内のアンテナｊから端末の受信アンテナｉへのチャネルを意味する。例えば、ｈ１２は、セル内のアンテナ２から端末の受信アンテナ１へのチャネルを意味する。また、ｎ１，ｎ２，．．．，ｎＮＲは、各受信アンテナの雑音（ｎｏｉｓｅ）を意味する。前記式で、ｘが端末が既に知っている参照信号（ｒｅｆｅｒｅｎｃｅ  ｓｉｇｎａｌ）である場合、端末は、受信信号を介してチャネルＨと雑音ｎを推定することができる。ここで、参照信号は、基地局と端末が既に知っている信号であり、チャネル推定又はデータの復調に使われる信号を意味する。参照信号は、ミッドアンブル（ｍｉｄａｍｂｌｅ）のように他の用語で使われることができる。端末は、基地局に‘１．ダウンリンクチャネル係数情報’で前記チャネルＨのチャネル係数をフィードバックし、‘４．端末が測定した受信雑音強度’で前記ｎに対する受信雑音強度をフィードバックすることができる。この時、ダウンリンクチャネル係数情報は、瞬時的なチャネル係数をフィードバックすることもでき、特定期間の平均的なチャネル係数をフィードバックすることもできる。また、ダウンリンクチャネル係数情報は、チャネルＨのチャネル係数を特定値の整数倍形態のように量子化（ｑｕａｎｔｉｚａｔｉｏｎ）して送ったり、チャネル行列Ｈを量子化して送ることもできる。また、ダウンリンクチャネル係数情報は、有効アンテナに対してのみ送信されることもできる。有効アンテナは、セル内の全てのアンテナ又は参照信号が提供される全てのアンテナであってもよく、端末が特定の基準に選択したアンテナであってもよい。特定の基準とは、例えば、端末が受信した参照信号の強度が特定閾値（ｔｈｒｅｓｈｏｌｄ  ｖａｌｕｅ）を超えるアンテナである。
【００５２】
前述したように、直接的にチャネルＨに対する情報を送る方法以外にもコードブック内でチャネルＨと最も類似する行列に対するインデックスを送信する方法も可能である。
【００５３】
第１のフィードバック情報のうち１〜４は、端末がダウンリンクチャネルを測定してチャネル情報を基地局に送信する場合に使われることができる。もし、基地局がアップリンクチャネルを測定する場合には、第１のフィードバック情報として‘５．アップリンクサウンディング参照信号（ｓｏｕｎｄｉｎｇ  ｒｅｆｅｒｅｎｃｅ  ｓｉｇｎａｌ；ＳＲＳ）及び／又はＳＲＳ送信電力情報’を送信することができる。
【００５４】
従来、基地局は、端末が送信するアップリンクサウンディング参照信号（ＳＲＳ）を用いてアップリンクチャネルを測定した。このような従来の方法は、各端末がＳＲＳをどれくらい増幅して送るかを知ることができないため、アップリンクチャネルの測定正確性が不十分であった。
【００５５】
反面、本発明では、端末が第１のフィードバック情報として１）ＳＲＳ及びＳＲＳ送信電力情報を送信する場合、より正確なチャネル推定が可能である。ＳＲＳ送信電力情報は、ＳＲＳの増幅大きさ、電力、及びエネルギーなど、多様な形態に与えられることができる。
【００５６】
もし、端末が第１のフィードバック情報として、２）ＳＲＳのみを送信する場合には基地局が予め指定した増幅大きさ、電力、及びエネルギーなどに送信する。
【００５７】
ＴＤＤ（ｔｉｍｅ  ｄｉｖｉｓｉｏｎ  ｄｕｐｌｅｘ）の場合、ダウンリンクチャネルは、アップリンクチャネルから類推することができるため、基地局がアップリンクチャネルを測定した結果から各端末に対するダウンリンク送信アンテナを割り当てることができる。
【００５８】
第１のフィードバック情報のうち、前記‘１．ダウンリンクチャネル係数情報’、‘３．有効アンテナに対するダウンリンクチャネル大きさ又は信号強度’、‘５．アップリンクサウンディング参照信号（ｕｐｌｉｎｋ  ｓｏｕｎｄｉｎｇ  ｒｅｆｅｒｅｎｃｅ  ｓｉｇｎａｌ；以下、ＳＲＳという）及び／又はＳＲＳに対する送信電力情報’は、‘４．端末が測定した受信雑音強度’で正規化（ｎｏｒｍａｌｉｚａｔｉｏｎ）した値を送信することもできる。このような場合、前記‘４．端末が測定した受信雑音強度’は、別途に送信しないこともある。
【００５９】
前述したように、基地局は、第１のフィードバック情報を用いて端末とのチャネルに対するチャネル係数及び端末の受信雑音強度を知ることができる。基地局は、チャネル係数及び端末の受信雑音強度を考慮して各端末に対するアンテナを割り当てる。このような方法は、従来の方法に比べて長所がある。例えば、従来の方法は、各端末がＳＲＳを送信すると、基地局がＳＲＳを測定して各端末に対するアンテナを割り当てたり、各端末が送信する選好アンテナインデックス又はアンテナ数などに基づいて各端末に対するアンテナを割り当てた。このような従来の方法によると、各端末が選好するアンテナが重複する場合、実際割り当てられるアンテナ（又は、アンテナ集合）と端末の選好するアンテナ（又はアンテナ集合）が異なる場合が発生することができる。
【００６０】
例えば、端末１の選好アンテナ集合は｛１，２，４｝、端末２の選好アンテナ集合は｛２，３，４｝である場合、基地局は、端末１にアンテナ集合｛１，２｝を割り当て、端末２にアンテナ集合｛３，４｝を割り当てることができる。然しながら、各端末が基地局に送信したフィードバック情報（例えば、ＣＱＩ）は、選好アンテナ集合に対するものであるため、基地局が実際に各端末に割り当てたアンテナ集合のフィードバック情報とは一致しないという問題がある。また、基地局立場でどんなアンテナをどんな端末に割り当てることがさらに送信効率が高いかを判断することができる根拠がないため、スケジューリングの効率性が劣るという短所がある。前述した例で、端末１にアンテナ４を割り当てることが良いか、端末２にアンテナ４を割り当てることが良いかを判断する根拠がない。
【００６１】
反面、本発明によると、基地局がチャネル係数と受信雑音強度を知ることができるため、信号を特定アンテナを介して送信する場合、各端末が受信する信号を予測することができる。従って、各端末別にどんなアンテナ集合を割り当てることが最も有利であるかを判断することができ、どんなアンテナ集合を割り当てた時、どんなＣＱＩを有するかに対しても知ることができる。従って、基地局のスケジューリング効率性が高まる。
【００６２】
また、図３を参照すると、基地局は、第２のフィードバック情報を用いて割り当てられたアンテナに対する各端末別リソース割当を実行する（Ｓ１１０）。ここで、第２のフィードバック情報は、割り当てられたアンテナに対して端末にどんな時間／周波数リソースを用いて信号を送信するかを決定する時に使われる情報である。第２のフィードバック情報は、例えば、ＣＱＩ（ｃｈａｎｎｅｌ  ｑｕａｌｉｔｙ  ｉｎｄｉｃａｔｏｒ）／ＰＭＩ（ｐｒｅｃｏｄｉｎｇ  ｍａｔｒｉｘ  ｉｎｄｅｘ）／ＲＩ（ｒａｎｋ  ｉｎｄｉｃａｔｏｒ）などを含むことができる。端末は、基地局からアンテナの割当を受けると、その割当を受けたアンテナ（アンテナ集合）に対してチャネルを推定した後、チャネル状態情報を第２のフィードバック情報として送信する。このようなステップは、集中アンテナシステムで実行される従来の方式を用いても関係ない。
【００６３】
基地局は、第２のフィードバック情報を用いて各端末に対するリソース割当をし、ＭＣＳ（ｍｏｄｕｌａｔｉｏｎ  ａｎｄ  ｃｏｄｉｎｇ  ｓｃｈｅｍｅ）レベルなどを指定してデータを端末に送信する（Ｓ１２０）。
【００６４】
図４は、図３で説明したフィードバック情報送信方法の具体的な例を示す順序図である。
【００６５】
図４を参照すると、基地局は、端末にセル内の複数のアンテナに対してアンテナ別に区分される参照信号を送信する（Ｓ３００）。端末は、参照信号を受信してダウンリンクチャネルを測定する（Ｓ３１０）。端末は、アンテナ情報を基地局にフィードバックする（Ｓ３２０）。ここで、アンテナ情報は、前述した第１のフィードバック情報に該当し、例えば、１．ダウンリンクチャネル係数情報、２．端末が測定した受信雑音強度、３．有効アンテナに対するダウンリンクチャネル大きさ又は信号強度、４．端末が選好するアンテナのインデックス又は特定閾値（ｔｈｒｅｓｈｏｌｄ  ｖａｌｕｅ）を超えるチャネル品質を有するアンテナインデックスのうち少なくとも一つを含むことができる。有効アンテナは、セル内の全てのアンテナ又は参照信号が提供される全てのアンテナであってもよく、端末が特定の基準により選択したアンテナであってもよい。特定の基準とは、例えば、端末の受信した参照信号の強度が特定閾値（ｔｈｒｅｓｈｏｌｄ  ｖａｌｕｅ）を超えるアンテナである。
【００６６】
基地局は、アンテナ情報を用いて端末とのチャネルに対するチャネル及び受信雑音強度を把握して端末に対するアンテナを割り当て、アンテナ割当情報を前記端末に送信する（Ｓ３３０）。端末は、割り当てられたアンテナに対するチャネル状態情報を基地局に送信する（Ｓ３４０）。ここで、割り当てられたアンテナに対するチャネル状態情報は、前述した第２のフィードバック情報に該当し、ＣＱＩ／ＰＭＩなどである。基地局は、割り当てられたアンテナに対するチャネル状態情報に基づいて前記端末に対するリソース割当を実行する（Ｓ３５０）。また、その結果によって前記端末にデータを送信する（Ｓ３６０）。
【００６７】
図５は、図３で説明したフィードバック情報送信方法の具体的な他の例を示す順序図である。
【００６８】
図５を参照すると、基地局は、端末にＳＲＳ送信を指示（又は要求）する（Ｓ４００）。この時、基地局は、端末が送信するＳＲＳの送信電力を指定する制御情報を共に送信することができる。
【００６９】
端末は、基地局のＳＲＳ送信指示又は要求に応答してＳＲＳを送信する（Ｓ４１０）。ＳＲＳは、第１のフィードバック情報に該当する。この時、端末は、前述したように、基地局からＳＲＳの送信電力を指定する制御情報を受信した場合には、前記制御情報によってＳＲＳに送信電力を適用することができる。端末が基地局からＳＲＳの送信電力を指定する制御情報を受信しない場合には、ＳＲＳと共にＳＲＳの送信電力情報を共に送信することができる。
【００７０】
基地局は、ＳＲＳ（及びＳＲＳの送信電力情報）を受信してアップリンクチャネルを測定する（Ｓ４２０）。ＴＤＤの場合、ダウンリンクチャネルをアップリンクチャネルから類推することができる。基地局は、アップリンクチャネル測定結果から端末に対するダウンリンクチャネル係数及び受信雑音強度を推定することができる。基地局は、推定したダウンリンクチャネル係数及び受信雑音強度を用いて端末に対するアンテナを割り当て、アンテナ割当情報を端末に送信する（Ｓ４３０）。
【００７１】
端末は、割り当てられたアンテナに対するチャネル状態情報を基地局に送信し（Ｓ４４０）、基地局は、端末に対するリソース割当（Ｓ４５０）後、端末にデータを送信する（Ｓ４６０）。チャネル状態情報は、第２のフィードバック情報に該当する。
【００７２】
以下、第１のフィードバック情報と第２のフィードバック情報の送信方式に対して説明する。
【００７３】
図６は、第１のフィードバック情報の送信周期及び第２のフィードバック情報の送信周期の一例を示す。
【００７４】
図６を参照すると、端末は、第１のフィードバック情報を第１のフィードバック情報送信周期に送信し、第２のフィードバック情報を第２のフィードバック情報送信周期に送信する。この時、第１のフィードバック情報送信周期が第２のフィードバック情報送信周期より大きい。即ち、端末は、アンテナ割当に使われる第１のフィードバック情報を第２のフィードバック情報より低頻度に送信する。端末とアンテナとの間のチャネルの変化が遅い場合、端末に割り当てられたアンテナの変更を速くする必要がないため、このような方法が適切である。割り当てられたアンテナに対するリソース割当に用いられる第２のフィードバック情報は、相対的に短い周期、例えば、５サブフレーム間隔に送信されることができる。図６（ａ）のように、第２のフィードバック情報が第１のフィードバック情報と同じ時間に送信される場合が発生することもでき、図６（ｂ）のようにそうでないこともある。
【００７５】
図６を参照して説明した方法のように、第１のフィードバック情報が第２のフィードバック情報に比べて低頻度に送信される方式をセミフレキシブルスケジューリング（ｓｅｍｉ−ｆｌｅｘｉｂｌｅ  ｓｃｈｅｄｕｌｉｎｇ）と呼ぶ。セミフレキシブルスケジューリングで第１のフィードバック情報の送信中に第２のフィードバック情報の送信が少なくとも一回実行されるようになる。基地局は、第２のフィードバック情報を介して端末と割り当てられたアンテナとの間のチャネル変化を推定することができる。
【００７６】
図７は、第１のフィードバック情報の送信周期及び第２のフィードバック情報の送信周期の他の例を示す。図７で、第１のフィードバック情報送信周期と第２のフィードバック情報送信周期は、同じである。
【００７７】
図７を参照すると、端末は、第１のフィードバック情報を第１のフィードバック情報送信周期に送信することができる。また、端末は、第２のフィードバック情報を第２のフィードバック情報送信周期に送信することができる。端末は、第１のフィードバック情報及び第２のフィードバック情報を、図７（ｃ）のように、同じ時間、例えば、同じサブフレームで基地局に送信することもでき、図７（ｄ）のように、互いに異なる時間、例えば、互いに異なるサブフレームで送信することもできる。図７（ｄ）の場合、端末は、第１のフィードバック情報を送信した後、予め決まったオフセット時間（例えば、所定個数のサブフレーム以後）以後に第２のフィードバック情報を送信することができる。オフセット時間中、基地局は、端末に対するアンテナ割当を実行することができる。
【００７８】
図７を参考して説明した方法のように、第１のフィードバック情報及び第２のフィードバック情報を同時に又は同じ時間間隔に送信することをフレキシブルスケジューリング（ｆｌｅｘｉｂｌｅ  ｓｃｈｅｄｕｌｉｎｇ）と呼ぶ。フレキシブルスケジューリングによると、基地局によるアンテナ割当がセミフレキシブルスケジューリングに比べてよく発生することができる。フレキシブルスケジューリングは、セミフレキシブルスケジューリングに比べてフィードバック及びシグナリングオーバーヘッドが大きいという短所があるがアンテナ運用の柔軟性を提供して分散アンテナシステムの性能を高めるという長所がある。
【００７９】
前述した図６及び図７で、第１フィードバック及び第２のフィードバック情報が周期によって送信される例を説明したが、これに制限されるものではない。即ち、第１フィードバック及び第２のフィードバック情報は、周期をよらずに送信されることもできる。
【００８０】
前述した説明で、第２のフィードバック情報は、第１のフィードバック情報により一部又は全部が省略されることもある。例えば、基地局が第１のフィードバック情報を用いて端末に対するアンテナ割当を実行するだけでなく、割り当てられたアンテナに対するリソース割当まで実行することもできる。このような場合、第２のフィードバック情報は、別途に送信されずに省略されることができる。このような方法は、端末に割り当てられたアンテナに対するリソース割当効率性が多少低下されることができるが、シグナリングによる遅延が減るようになる長所がある。
【００８１】
図８は、基地局及び端末を示すブロック図である。
【００８２】
基地局１００は、プロセッサ（ｐｒｏｃｅｓｓｏｒ）１１０、メモリ（ｍｅｍｏｒｙ）１２０、及びＲＦ部（ＲＦ（ｒａｄｉｏ  ｆｒｅｑｕｅｎｃｙ）  ｕｎｉｔ）１３０を含む。プロセッサ１１０は、提案された機能、過程及び／又は方法を具現する。即ち、プロセッサ１１０は、端末から第１のフィードバック情報を受信し、アンテナ割当情報を生成して送信する。この時、第１のフィードバック情報からアンテナと端末との間のチャネルに対するチャネル係数及び端末の受信雑音強度を推定して用いる。また、端末から第２のフィードバック情報を受信して割り当てられたアンテナに対するリソース割当を実行する。メモリ１２０は、プロセッサ１１０と連結され、プロセッサ１１０を駆動するための多様な情報を格納する。ＲＦ部１３０は、プロセッサ１１０と連結され、無線信号を送信及び／又は受信する。
【００８３】
端末２００は、プロセッサ２１０、メモリ２２０、及びＲＦ部２３０を含む。プロセッサ２１０は、基地局に第１のフィードバック情報を送信し、基地局からアンテナ割当情報を受信する。アンテナ割当情報により割り当てられたアンテナに対してチャネル状態を測定し、その結果を第２のフィードバック情報で基地局に送信する。メモリ２２０は、プロセッサ２１０と連結され、プロセッサ２１０を駆動するための多様な情報を格納する。ＲＦ部２３０は、プロセッサ２１０と連結され、無線信号を送信及び／又は受信する。
【００８４】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／又はベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部１３０、２３０は、無線信号を送信及び／又は受信する一つ以上のアンテナを含むことができる。実施例がソフトウェアで具現される時、前述した技法は、前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部又は外部にあり、よく知られた多様な手段でプロセッサ１１０、２１０と連結されることができる。
【００８５】
本発明は、ハードウェア、ソフトウェア又はこれらの組合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロプロセッサ、他の電子ユニット又はこれらの組合せで具現されることができる。ソフトウェア具現において、前述した機能を遂行するモジュールで具現されることができる。ソフトウェアは、メモリユニットに格納されることができ、プロセッサにより実行される。メモリユニットやプロセッサは、当業者によく知られた多様な手段を採用することができる。
【００８６】
以上、本発明の好ましい実施例に対して詳細に記述したが、本発明が属する技術分野において通常の知識を有する者であれば、添付の請求範囲に定義された本発明の精神及び範囲を外れない限り、本発明を多様に変形又は変更して実施可能であることを理解することができる。従って、本発明の今後の実施例の変更は、本発明の技術を外れることができない。
【図１】
0005593436.tif 000003
【図２】
0005593436.tif 000004
【図３】
0005593436.tif 000005
【図４】
0005593436.tif 000006
【図５】
0005593436.tif 000007
【図６】
0005593436.tif 000008
【図７】
0005593436.tif 000009
【図８】
0005593436.tif 000010